(57)【要約】  【課題】既存の信号や回路を利用することで、コストを抑制しながら、スタンバイモード時の電源回路の温度上昇を低減する。  【解決手段】  交流電源１側からみた力率を改善するための力率改善回路３と、トランス６の１次側に力率改善回路３が接続され、２次側から負荷用の直流電圧Ｖ１〜Ｖ４が出力される自励発振型コンバータからなるスイッチングレギュレータ５とを備えた電源回路１１１Ａにおいて、ランプ駆動回路へ与えられるランプ点灯許可信号を信号検出回路１２で検出し、ランプ点灯許可信号が検出されないスタンバイ時には、力率改善回路３に備わるＰＦＣ（Power Factor Correction）制御部４の動作を停止させるようにした。【選択図】  図２
2006337512.tif 000002
【特許請求の範囲】
【請求項１】
投射用のランプと、このランプを駆動するランプ駆動回路と、前記ランプ駆動回路へ所定の直流電圧を供給する電源回路とを備え、
前記電源回路は、電源の交流電圧を全波整流する整流回路と、この整流回路で全波整流された電圧が入力され、電源側からみた力率を改善するための力率改善回路と、トランスの１次側に前記力率改善回路が接続され、２次側から負荷用の直流電圧が出力されるスイッチングレギュレータとからなり、
前記ランプ駆動回路へランプ点灯許可信号を与えることにより、前記ランプが点灯するようにしたプロジェクタにおいて、
前記ランプ点灯許可信号を検出する信号検出回路を設け、
前記信号検出回路がランプ点灯許可信号を検出しないスタンバイ状態のときには、当該信号検出回路の出力に基づいて、前記力率改善回路に備わるＰＦＣ（Power Factor Correction）制御部の動作を停止させることを特徴とするプロジェクタ。
【請求項２】
投射用のランプと、このランプを駆動するランプ駆動回路と、前記ランプ駆動回路へ所定の直流電圧を供給する電源回路とを備え、
前記電源回路は、電源の交流電圧を全波整流する整流回路と、この整流回路で全波整流された電圧が入力され、電源側からみた力率を改善するための力率改善回路と、トランスの１次側に前記力率改善回路が接続され、２次側から負荷用の直流電圧が出力されるスイッチングレギュレータとからなり、
前記ランプ駆動回路へランプ点灯許可信号を与えることにより、前記ランプが点灯するようにしたプロジェクタにおいて、
前記ランプ駆動回路の電流を検出する電流検出回路を設け、
前記電流検出回路により検出された電流が所定値以下となるスタンバイ状態のときには、当該電流検出回路の出力に基づいて、前記力率改善回路に備わるＰＦＣ制御部の動作を停止させることを特徴とするプロジェクタ。
【請求項３】
投射用のランプと、このランプを駆動するランプ駆動回路と、前記ランプ駆動回路へ所定の直流電圧を供給する電源回路とを備え、
前記電源回路は、電源の交流電圧を全波整流する整流回路と、この整流回路で全波整流された電圧が入力され、電源側からみた力率を改善するための力率改善回路と、トランスの１次側に前記力率改善回路が接続され、２次側から負荷用の直流電圧が出力されるスイッチングレギュレータとからなり、
前記スイッチングレギュレータは、トランスの１次側の巻線に接続されてスイッチング動作を行うスイッチング素子と、トランスの２次側の電圧をフィードバックして前記スイッチング素子のスイッチング動作を制御するフィードバック回路とを有する自励発振型コンバータから構成されているプロジェクタにおいて、
ランプが消灯するスタンバイ状態となった場合に、トランスの１次側に設けられているフィードバック制御されない駆動電圧供給用巻線の出力電圧が低下することに基づき、前記力率改善回路に備わるＰＦＣ制御部の駆動電圧を所定値以下とすることで、当該ＰＦＣ制御部の動作を停止させることを特徴とするプロジェクタ。
【発明の詳細な説明】
【技術分野】
【０００１】
本発明は、映像をスクリーンに投影するプロジェクタに関し、特に、スタンバイモードにおける電源回路の不要な発熱を抑制するための技術に関するものである。
【背景技術】
【０００２】
プロジェクタの筐体内部には、ランプや電源回路などの熱源が備わっており、これらの熱源から発生する熱で筐体内が高温になると、筐体が熱変形したり、電気回路の性能が低下したりするなど、種々の弊害が生じる。そこで、熱源から発生した熱を外部へ放散させるために、冷却用のファンが設けられる。また、一般にプロジェクタにおいては、ランプを消灯状態にするスタンバイモードの機能が備わっており、使用時以外はスタンバイモードにすることで、ランプの寿命を長くし、また電気代を節約できるようにしている。後掲の特許文献１には、スタンバイモードのときに冷却ファンの回転を停止することで騒音を低減したプロジェクタが記載されている。
【０００３】
一方、プロジェクタの電源回路としては、スイッチングレギュレータに力率改善回路を付加したものが一般的に用いられている。スイッチングレギュレータは、トランスに接続されたスイッチング素子を高速でＯＮ／ＯＦＦさせることにより、ＤＣ−ＤＣ変換を行なう直流安定化電源である。力率改善回路は、電流波形を電圧波形に近づけることで、電源側からみた力率を改善して消費電力効率を向上させるために設けられる。後掲の特許文献２には、スイッチングレギュレータと力率改善回路とを備えた電源回路が記載されている（但し、本文献にはプロジェクタに関する記載はない）。
【特許文献１】特開２００４−３６１４６６号公報
【特許文献２】特開平１１−３０８８５８号公報
【発明の開示】
【発明が解決しようとする課題】
【０００４】
従来のプロジェクタにおいては、力率改善回路はランプが点灯している通常動作時だけでなく、ランプが消灯しているスタンバイモード時でも作動するようになっていた。しかしながら、力率改善回路の本来の目的は、ランプの点灯状態において、電圧波形が正弦波であっても電流波形がパルス状となることで力率が低下し、このことに基因して電源ラインに高調波が混入してノイズ障害などを発生するのを防止するためであり、ランプが消灯しているスタンバイモードでは、高調波電流は問題にはならない。したがって、スタンバイモードの状態で力率改善回路を作動させることは無用であるばかりでなく、電源回路での発熱が生じてファンによる強制冷却が必要となり、結果的に消費電力が増大するとともに、ファンの騒音が発生するという問題がある。
【０００５】
一方、上述した特許文献２では、負荷への電源供給を停止しているプリヒート（スタンバイ）状態において、オンオフ制御部から出力される制御信号により、力率改善回路の動作を停止させるようにしている。これによると、スタンバイ状態では力率改善回路が動作しなくなり、無駄な発熱を抑制することができる。しかしながら、特許文献２には前述のようにプロジェクタに関する記載がなく、プロジェクタにおいて、具体的にどのような技術的手段を用いて力率改善回路の動作を停止させるのかについては、特許文献２からは明らかでない。例えば、プロジェクタの操作部でスタンバイモードの操作がされたときに、スタンバイモードに入ったことを示す信号をマイクロコンピュータで生成し、この信号を電源回路へ送って力率改善回路の動作を停止させることが考えられるが、この場合は、特別な信号を生成して送信するためのソフトウエアや、制御基板から電源基板への信号線が余分に必要となり、その分コストが高くなるという問題がある。この点に関しては、特許文献１においても解決策は示されていない。
【０００６】
本発明の課題は、プロジェクタにおける既存の信号や回路を利用することで、コストを抑制しながら、スタンバイモード時の電源回路の温度上昇を低減することにある。
【課題を解決するための手段】
【０００７】
第１の発明に係るプロジェクタは、投射用のランプと、このランプを駆動するランプ駆動回路と、このランプ駆動回路へ所定の直流電圧を供給する電源回路とを備える。そして、ランプ駆動回路へランプ点灯許可信号を与えることにより、ランプが点灯するようになっている。電源回路は、電源の交流電圧を全波整流する整流回路と、この整流回路で全波整流された電圧が入力され、電源側からみた力率を改善するための力率改善回路と、トランスの１次側に力率改善回路が接続され、２次側から負荷用の直流電圧が出力されるスイッチングレギュレータとからなる。第１の発明の特徴は、上記ランプ点灯許可信号を検出する信号検出回路を設け、この信号検出回路がランプ点灯許可信号を検出しないスタンバイ状態のときには、当該信号検出回路の出力に基づいて、力率改善回路に備わるＰＦＣ（Power Factor Correction）制御部の動作を停止させるようにした点にある。
【０００８】
第１の発明においては、スタンバイ状態のときにランプ点灯許可信号が存在しないことに着目し、ランプ点灯許可信号の有無を検出することにより、ＰＦＣ制御部の動作を停止させるようにした。このため、既存のランプ点灯許可信号を利用して、スタンバイモード時に力率改善回路を非動作状態にすることができる。
【０００９】
第２の発明に係るプロジェクタは、投射用のランプと、このランプを駆動するランプ駆動回路と、このランプ駆動回路へ所定の直流電圧を供給する電源回路とを備える。そして、ランプ駆動回路へランプ点灯許可信号を与えることにより、ランプが点灯するようになっている。電源回路は、電源の交流電圧を全波整流する整流回路と、この整流回路で全波整流された電圧が入力され、電源側からみた力率を改善するための力率改善回路と、トランスの１次側に力率改善回路が接続され、２次側から負荷用の直流電圧が出力されるスイッチングレギュレータとからなる。第２の発明の特徴は、ランプ駆動回路の電流を検出する電流検出回路を設け、この電流検出回路により検出された電流が所定値以下となるスタンバイ状態のときには、当該電流検出回路の出力に基づいて、力率改善回路に備わるＰＦＣ制御部の動作を停止させるようにした点にある。
【００１０】
第２の発明においては、スタンバイ状態のときにランプ駆動回路の電流が所定値以下となることに着目し、その電流を検出することにより、ＰＦＣ制御部の動作を停止させるようにした。このため、既存のランプ駆動回路の電流を利用して、スタンバイモード時に力率改善回路を非動作状態にすることができる。
【００１１】
第３の発明に係るプロジェクタは、投射用のランプと、このランプを駆動するランプ駆動回路と、このランプ駆動回路へ所定の直流電圧を供給する電源回路とを備える。電源回路は、電源の交流電圧を全波整流する整流回路と、この整流回路で全波整流された電圧が入力され、電源側からみた力率を改善するための力率改善回路と、トランスの１次側に力率改善回路が接続され、２次側から負荷用の直流電圧が出力されるスイッチングレギュレータとからなる。スイッチングレギュレータは、トランスの１次側の巻線に接続されてスイッチング動作を行うスイッチング素子と、トランスの２次側の電圧をフィードバックしてスイッチング素子のスイッチング動作を制御するフィードバック回路とを有する自励発振型コンバータから構成されている。第３の発明の特徴は、ランプが消灯するスタンバイ状態となった場合に、トランスの１次側に設けられているフィードバック制御されない駆動電圧供給用巻線の出力電圧が低下することに基づき、力率改善回路に備わるＰＦＣ制御部の駆動電圧を所定値以下とすることで、当該ＰＦＣ制御部の動作を停止させるようにした点にある。
【００１２】
第３の発明においては、自励発振型コンバータの場合、スタンバイ時のような軽負荷状態では、フィードバック制御のかからない巻線の出力電圧が低下することに着目し、この出力電圧の低下を利用してＰＦＣ制御部の駆動電圧を所定値以下とすることで、ＰＦＣ制御部の動作を停止させるようにした。このため、新たな回路を追加することなく、トランスの巻線の巻数等を調整するだけで、スタンバイモード時に力率改善回路を非動作状態にすることができる。
【発明の効果】
【００１３】
本発明によれば、プロジェクタに備わる既存の信号や回路を利用して、力率改善回路の動作を停止させるようにしたので、余分なソフトウェアや配線が不要となり、コストを抑制しながらスタンバイモード時の電源回路の温度上昇を低減することができる。また、ファンによる強制冷却も不要となって、無駄な電力消費や騒音の発生を防止することができる。
【発明を実施するための最良の形態】
【００１４】
以下、本発明の実施形態を添付図面に基づいて説明する。
【００１５】
図１は、プロジェクタの全体的な構成を示した電気ブロック図である。１００はプロジェクタの動作を制御する制御部であって、マイクロコンピュータおよびメモリから構成される。１０１は信号入力部であって、入力信号の種類に応じた複数の信号端子を備えている。１０２は筐体の上面に設けられた操作部であって、各種の操作ボタンを備えている。１０３は電源の入切状態などを表示するランプ等の表示部、１０４はリモコン１０５からの信号を受信するリモコン受信部である。１０６は画像形成部であって、信号入力部１０１から入力される信号に基づいて、スクリーン（図示省略）に投影する画像を形成する。１０７はランプ駆動回路であって、ランプ１０８を駆動するためのＰＷＭ（Pulse Width Modulation）回路を備えている。ランプ１０８は、画像形成部１０６で形成された画像をスクリーンに映し出すための投射用ランプである。１０９はファン駆動回路であって、ファン１１０を駆動するためのＰＷＭ回路や駆動用モータを備えている。１１１は電源回路であって、制御部１００、画像形成部１０６、ランプ駆動回路１０７、ファン駆動回路１０９などの各部へ、それぞれの駆動電圧に応じた所定の直流電圧Ｖ１，Ｖ２，…を供給する。
【００１６】
図２は、第１実施形態における電源回路１１１Ａの具体的な回路図を示している。１は商用交流電源（以下、単に「電源」という。）、２は電源１の交流電圧を全波整流する整流回路、３は整流回路２で全波整流された電圧が入力され、電源１側からみた力率を改善するための力率改善回路、５はトランス６の１次側に力率改善回路３が接続され、２次側から負荷用の直流電圧Ｖ１，Ｖ２，…が出力されるスイッチングレギュレータである。
【００１７】
力率改善回路３において、Ｒ１〜Ｒ６は抵抗、Ｌはトランスの巻線、Ｄ１は整流用のダイオード、Ｃ１は平滑用のコンデンサ、Ｑ１はＦＥＴからなるスイッチング素子、４はスイッチング素子Ｑ１を制御する制御回路を組み込んだＩＣからなるＰＦＣ（Power Factor Correction）制御部である。この力率改善回路３の構成は公知のものである。ＰＦＣ制御部４は、入力側の分圧抵抗Ｒ１，Ｒ２で分圧された電圧と、出力側の分圧抵抗Ｒ５，Ｒ６で分圧された電圧とに基づいて、スイッチング素子Ｑ１を駆動するための制御信号を出力する。スイッチング素子Ｑ１は、この制御信号に基づき所定のタイミングでＯＮ／ＯＦＦ動作を行い、このスイッチング動作によって、巻線Ｌに流れる電流の波形が正弦波の電圧波形と近似したものとなり、電源１側からみた力率が改善される。ＶＣＰはＰＦＣ制御部４を作動させるための駆動電圧、ＣＮＴはＰＦＣ制御部４を動作状態または非動作状態にするための制御信号である。
【００１８】
スイッチングレギュレータ５において、Ｒ７〜Ｒ１６は抵抗、Ｄ２〜Ｄ７はダイオード、Ｃ２〜Ｃ１３はコンデンサ、Ｌ１〜Ｌ３はトランス６の１次側の巻線、Ｌ４〜Ｌ７はトランス６の２次側の巻線、Ｌ８〜Ｌ１１はコンデンサＣ７〜Ｃ１０とともにローパスフィルタを構成する巻線、Ｚは定電圧ダイオード、Ｓはシャントレギュレータである。６は高周波トランスであって、１次側に力率改善回路３が接続され、２次側から負荷用の直流電圧Ｖ１〜Ｖ４が出力される。トランス６の１次側の巻線Ｌ１には、ＦＥＴからなるスイッチング素子Ｑ３が直列に接続されている。巻線Ｌ２は、ＰＦＣ制御部４へ駆動電圧を供給する巻線、Ｌ３はスイッチング素子Ｑ３の駆動用巻線である。１１はスイッチング素子Ｑ３のＯＮ／ＯＦＦ動作を制御するスイッチング制御回路である。トランス６の２次側の巻線Ｌ４〜Ｌ７は、負荷に応じて異なる直流電圧Ｖ１〜Ｖ４をそれぞれ出力する。７は発光ダイオードＬＥＤおよびフォトトランジスタＰＴからなるフォトカプラであって、抵抗Ｒ１１〜Ｒ１６、コンデンサＣ１３、シャントレギュレータＳとともに、２次側の出力電圧（Ｖ２）を１次側へ帰還するフィードバック回路を構成している。
【００１９】
このスイッチングレギュレータ５は、自励発振型コンバータとしてフライバック型のＲＣＣ（Ringing Choke Converter）を用いた公知のものである。スイッチング素子Ｑ３のＯＮ／ＯＦＦ動作により巻線Ｌ１に流れる電流が断続され、スイッチング素子Ｑ３がＯＮの期間ではトランス６にエネルギーが蓄積され、ＯＦＦの期間では蓄積されたエネルギーが２次側へ放出されて、巻線Ｌ４〜Ｌ７から複数の直流電圧Ｖ１〜Ｖ４が取り出される。また、負荷の変動によりトランス６の２次側の出力電圧が変化すると、フォトカプラ７を介して１次側へフィードバックがかかり、スイッチング制御回路１１がスイッチング素子Ｑ３のスイッチング動作（周波数またはパルス幅）を制御することにより、２次側の出力電圧が一定となるようにされる。
【００２０】
次に、図２における本発明の特徴部分について説明する。本実施形態では、ランプ点灯許可信号を検出する信号検出回路１２が設けられている。ランプ点灯許可信号は、制御部１００（図１）のマイクロコンピュータからランプ駆動回路１０７へ送られる信号であって、ランプ駆動回路１０７はこの信号に基づいてランプ１０８を点灯させる。ランプ１０８を消灯するスタンバイモードの状態では、制御部１００からランプ点灯許可信号は出力されない。したがって、このランプ点灯許可信号の有無を信号検出回路１２で検出することにより、プロジェクタが通常の動作モードにあるのか、スタンバイモードにあるのかを判別することができる。
【００２１】
信号検出回路１２は、ここでは抵抗２１およびトランジスタＱ２から構成される。通常動作モード時には、ランプ点灯許可信号がトランジスタＱ２のベースに入力され、トランジスタＱ２がＯＮ状態となるので、トランジスタＱ２のコレクタから出力される制御信号ＣＮＴは「Ｌ」（Low）となる。この制御信号によって、ＰＦＣ制御部４が動作し、スイッチング素子Ｑ１のスイッチング動作により前述した力率改善が行なわれる。一方、スタンバイモード時は、ランプ点灯許可信号がトランジスタＱ２のベースに入力されないので、トランジスタＱ２はＯＦＦ状態となり、トランジスタＱ２のコレクタから出力される制御信号ＣＮＴは「Ｈ」（High）となる。この制御信号によって、ＰＦＣ制御部４は動作を停止し、スイッチング素子Ｑ１もＯＦＦとなって、力率改善回路３は停止状態となる。
【００２２】
このように、第１実施形態においては、ランプ点灯許可信号を利用してスタンバイ状態か否かを判別し、スタンバイ状態であれば、ＰＦＣ制御部４およびスイッチング素子Ｑ１の動作を停止させるようにしている。したがって、既存のランプ点灯許可信号を利用したハードウェア的手法によって、スタンバイモードにおける力率改善回路３の温度上昇を低減することができる。また、この結果、ファン１１０（図１）を駆動して強制冷却を行なう必要もなくなるので、無駄な電力消費や騒音の発生を防止することができる。
【００２３】
なお、図２の例では、信号検出回路１２をＰＦＣ制御部４とは別に設けたが、ＰＦＣ制御部４に信号検出回路の機能を組み入れ、ランプ点灯許可信号それ自体を制御信号ＣＮＴとして、直接ＰＦＣ制御部４へ与えるようにしてもよい。
【００２４】
図３は、第２実施形態における電源回路１１１Ｂの具体的な回路図を示している。電源１、整流回路２、力率改善回路３、スイッチングレギュレータ５の構成および動作については、図２で示したものと同じであるので、図２と同一部分に同一符号を付して、重複説明は省略する。１０７はランプ駆動回路、１０８はランプであって、これらは図１で示したものと同じものである。ランプ駆動回路１０７には、前述したランプ点灯許可信号が与えられる。なお、本実施形態の場合は、ＰＦＣ制御部４へ図２の制御信号ＣＮＴは与えられない。
【００２５】
次に、図３における本発明の特徴部分について説明する。本実施形態では、力率改善回路３とスイッチングレギュレータ５との間に、ランプ駆動回路１０７の電流を検出するための電流検出回路１３と、スイッチング制御回路１０と、このスイッチング制御回路１０によりＯＮ／ＯＦＦ動作が制御されるスイッチング素子としてのトランジスタＱ４が設けられる。電流検出回路１３は、抵抗Ｒ２３，Ｒ２４、およびトランジスタＱ５から構成される。また、抵抗Ｒ２３とトランジスタＱ４の接続点からランプ駆動回路１０７へは、ランプ駆動回路１０７を駆動するための駆動電圧ＶＣＬが供給される。
【００２６】
図４は、ランプ駆動回路１０７の一例を示した回路図である。Ｒａ〜Ｒｄは抵抗、Ｄはダイオード、Ｃはコンデンサ、Ｑ６およびＱ７はスイッチング素子としてのトランジスタ、２０はランプ１０８を駆動するためのＰＷＭ回路である。前述のランプ点灯許可信号は、ダイオードＤ、コンデンサＣおよび抵抗Ｒｄを介して、トランジスタＱ６のベースに入力される。また、前述の駆動電圧ＶＣＬは、トランジスタＱ７を介してＰＷＭ回路２０へ与えられる。
【００２７】
通常動作モードにおいて、ランプ駆動回路１０７にランプ点灯許可信号が入力されると、トランジスタＱ６はＯＮ状態となり、トランジスタＱ６がＯＮすることでトランジスタＱ７もＯＮ状態となって、駆動電圧ＶＣＬがトランジスタＱ７を介してＰＷＭ回路２０へ供給される。これにより、ＰＷＭ回路２０が作動し、その駆動出力によりランプ１０８が点灯する。この状態では、ランプ駆動回路１０７の電流（ＶＣＬの電源ラインに流れる電流）は例えば０．３Ａであり、図３における抵抗Ｒ２３の電圧降下が大きくなって、トランジスタＱ５がＯＮ状態となる。トランジスタＱ５がＯＮすると、スイッチング制御回路１０からの出力信号により、トランジスタＱ４もＯＮ状態となる。これによって、トランス６の巻線Ｌ２からトランジスタＱ４を介してＰＦＣ制御部４へ駆動電圧ＶＣＰが供給されるので、ＰＦＣ制御部４およびスイッチング素子Ｑ１が作動して、前述した力率改善動作が行なわれる。
【００２８】
これに対して、スタンバイモードでは、図４においてランプ駆動回路１０７にランプ点灯許可信号が入力されないため、トランジスタＱ６はＯＦＦ状態となり、トランジスタＱ６がＯＦＦすることでトランジスタＱ７もＯＦＦ状態となって、駆動電圧ＶＣＬがＰＷＭ回路２０へ供給されなくなる。これにより、ＰＷＭ回路２０が非動作状態となり、ランプ１０８は消灯する。この状態では、ランプ駆動回路１０７の電流（ＶＣＬの電源ラインに流れる電流）は例えば０．１Ａ以下であり、図３における抵抗Ｒ２３の電圧降下が小さくなって、トランジスタＱ５はＯＦＦ状態となる。トランジスタＱ５がＯＦＦになると、スイッチング制御回路１０からの出力信号により、トランジスタＱ４もＯＦＦ状態となる。このため、トランス６の巻線Ｌ２からＰＦＣ制御部４へ駆動電圧ＶＣＰが供給されなくなり、ＰＦＣ制御部４およびスイッチング素子Ｑ１は動作を停止する。
【００２９】
このように、第２実施形態においては、ランプ駆動回路１０７の電源ラインの電流を検出して、電流が所定値以下であるか否かによりスタンバイ状態か否かを判別し、スタンバイ状態であれば、ＰＦＣ制御部４の駆動電圧ＶＣＰを断つことで、ＰＦＣ制御部４およびスイッチング素子Ｑ１の動作を停止させるようにしている。したがって、既存のランプ駆動回路の電流を利用したハードウェア的手法によって、スタンバイモードにおける力率改善回路３の温度上昇を低減することができる。また、この結果、ファン１１０（図１）を駆動して強制冷却を行なう必要もなくなるので、無駄な電力消費や騒音の発生を防止することができる。
【００３０】
以上述べた第１および第２実施形態においては、プロジェクタの既存回路に若干の回路を付加したが、付加回路なしで同様の目的を達成することも可能である。図５は、そのような第３実施形態における電源回路１１１Ｃの具体的な回路図を示している。電源１、整流回路２、力率改善回路３、スイッチングレギュレータ５の構成および動作については、図２で示したものと同じであるので、図２と同一部分に同一符号を付して、重複説明は省略する。本実施形態の場合は、力率改善回路３とスイッチングレギュレータ５との間に、図２のような信号検出回路１２や、図３のような電流検出回路１３などは設けられない。
【００３１】
第３実施形態においては、自励発振型コンバータの場合、スタンバイ時のような軽負荷状態では、フィードバック制御のかからない巻線の出力電圧が低下することを利用して、力率改善回路の動作を停止させる。すなわち、プロジェクタがスタンバイ状態となってトランス６の２次側の負荷が軽くなると、フォトカプラ７によるフィードバック制御のかからない巻線Ｌ２の出力電圧が低下する。この巻線Ｌ２は、ＰＦＣ制御部４へ駆動電圧ＶＣＰを供給するためのもので、ＰＦＣ制御部４の駆動電圧ＶＣＰの仕様は、例えば１２Ｖ（最低値）に設定されている。したがって、通常動作時に巻線Ｌ２の出力電圧が１２Ｖ以上となり、スタンバイ時に巻線Ｌ２の出力電圧が１２Ｖ未満（例えば１１Ｖ）に低下するように、巻数やインダクタンス値を選定することで、通常動作時にはＰＦＣ制御部４が動作し、スタンバイ時にはＰＦＣ制御部４が動作しないようにすることができる。
【００３２】
このようにして、第３実施形態によれば、新たな回路を付加することなく、トランス６の巻数等を調整するだけで、スタンバイモードにおけるＰＦＣ制御部４の動作を停止させ、力率改善回路３の温度上昇を低減することができる。また、この結果、ファン１１０（図１）を駆動して強制冷却を行なう必要もなくなるので、無駄な電力消費や騒音の発生を防止することができる。
【図面の簡単な説明】
【００３３】
【図１】プロジェクタの全体的な構成を示した電気ブロック図である。
【図２】本発明の第１実施形態における電源回路の回路図である。
【図３】本発明の第２実施形態における電源回路の回路図である。
【図４】ランプ駆動回路の一例を示した回路図である。
【図５】本発明の第３実施形態における電源回路の回路図である。
【符号の説明】
【００３４】
１    電源
２    整流回路
３    力率改善回路
４    ＰＦＣ制御部
５    スイッチングレギュレータ
６    トランス
７    フォトカプラ
１１  スイッチング制御回路
１２  信号検出回路
１３  電流検出回路
１０７  ランプ駆動回路
１０８  ランプ
１１１  電源回路
Ｌ１〜Ｌ７  巻線
Ｑ３  スイッチング素子
Ｖ１〜Ｖ４  直流電圧
【図１】
2006337512.tif 000003
【図２】
2006337512.tif 000004
【図３】
2006337512.tif 000005
【図４】
2006337512.tif 000006
【図５】
2006337512.tif 000007